(57)【要約】【課題】多形態のマッサージ機に対応して容易に取付けができ、しかも丈夫な構造で汎用性に富んだサイドテーブルを備えたマッサージ機を提供する。【解決手段】背凭れ部１１ａと座部１２ａと肘掛け部１４ａとを備え、少なくとも一方の肘掛け部１４ａに着脱自在なサイドテーブルを２ａ備えたマッサージ機１ａであって、該マッサージ機１ａのサイドテーブル２ａを、前記座部１２ａ前端一側から座部１２ａ幅方向に基部２２２ａが挿入されて軸支され、その至部２２３ａ側上部には、肘掛け部１４ａと連繋し得る肘掛当接部材２３ａを配備させた支持部材２２ａと、該支持部材２２ａの至部２２３ａ側上端に取着された載置用テーブル２１ａとで構成して成り、肘掛け部１４ａの形状やマッサージ機１ａの形状に左右されることなく、あらゆるマッサージ機１ａの左右肘掛け部１４ａ近郊にサイドテーブル２ａを適宜に取着して構成したものである。【選択図】    図９
2005040151.tif 000002
【特許請求の範囲】
【請求項１】
背凭れ部と座部と肘掛け部とを備え、少なくとも一方の肘掛け部に着脱自在なサイドテーブルを備えたマッサージ機であって、該マッサージ機のサイドテーブルを、前記座部前端一側から座部幅方向に基部が挿入されて軸支され、その至部側上部には、肘掛け部と連繋し得る肘掛当接部材を配備させた支持部材と、該支持部材の至部側上端に取着された載置用テーブルとで構成した事を特徴とするサイドテーブルを備えたマッサージ機。
【請求項２】
前記肘掛当接部材は、肘掛け部上部で連繋し得る構造である事を特徴とする請求項１記載のサイドテーブルを備えたマッサージ機。
【請求項３】
前記肘掛当接部材は、肘掛け部開口部で連繋し得る構造である事を特徴とする請求項１記載のサイドテーブルを備えたマッサージ機。
【請求項４】
前記座部に、支持部材を挿入し得る筒状部材を横設した事を特徴とする請求項１乃至３記載のサイドテーブルを備えたマッサージ機。
【請求項５】
前記支持部材は、前記座部前端一側から座部幅方向に挿入される基部と肘掛け部と連繋し得る肘掛当接部材を配備させた至部とが分割されており、これら両者間で長さ調整可能或いは回転可能に嵌合されるよう構成した事を特徴とする請求項１記載のサイドテーブルを備えたマッサージ機。
【発明の詳細な説明】
【０００１】
【産業上の利用分野】
本発明は、サイドテーブルを備えたマッサージ機に関するものである。
【０００２】
【従来の技術】
従来より、マッサージ機の肘掛け部等にサイドテーブルを脱着自在に保持させたマッサージ機が古くから市場に出回っており、使用者がマッサージ機を使用する場合、例えば読み物や飲用カップや小物等の使用物をそのサイドテーブルに載置することができるように利便性を高め、しかも使用者にリラックス感を付与させるようにしたものが存在する。
【０００３】
また、従来のサイドテーブルを備えたマッサージ機として、近年では、図１５や図１６に示したように、背凭れ部２と、座部３と、座部３の前端に回動自在に連結されたフットレスト４と、座部３と背凭れ部２に亘ってその左右両側に設けられた肘当て部５と、これらを支持するフレーム機構により構成されるマッサージ椅子１を挙げるが、後方が低くなるように傾斜した座部３の左右両側フレーム１０の何れにも着脱自在に取り付けられるブラケット１８を備え、このブラケット１８に、サイドテーブル１７を着脱自在に取り付け、更にサイドテーブル１７の裏面に前後方向に間隔を置いて高さの異なる一対の係合爪２６、２７を突出させ、ブラケットには何れの係合爪２６，２７にも係合可能な被係合部３２、３３を設け、被係合部３２，３３と係合する係合爪２６，２７の組み合わせを選択することにより、座部の傾斜を打ち消してサイドテーブルが水平になるように構成したものも開発されている（特許文献１参照）。
【特許文献１】
特開２００３−１９０５８号公報（第３頁、図１と図３）
【０００４】
【発明が解決しようとする課題】
ところで、上記従来のサイドテーブルを備えたマッサージ機では、座部の左右両側面が両肘掛け部内に嵌着されて隠れているような構成のマッサージ機が市場で出回っていることからして、このような形態のマッサージ機に、サイドテーブルを座部の左右両側フレームに着脱自在に取り付ける従来の構成のものの取り付けは困難であり、汎用性という点で問題があった。
【０００５】
また上記のような構成のサイドテーブルにおいて、それをマッサージ機の左右両側にリバーシブルに変更して取り付け直す時には、座面の傾斜のためにわざわざブラケットとテーブル部を一旦取り外し、更に反転して再び取り付ける必要があり、それに伴う手間や部品の劣化を招くことも問題として挙げられる。
【０００６】
そこで、本発明は上記問題点を解消する為に成されたものであり、多形態のマッサージ機に対応してサイドテーブルが容易に取付けされて、汎用性に富み、しかも構造上丈夫なサイドテーブルを備えたマッサージ機を提供する事を目的としてなされたものである。
【０００７】
【課題を解決するための手段】
すなわち、本発明のサイドテーブルを備えたマッサージ機は、背凭れ部と座部と肘掛け部とを備え、少なくとも一方の肘掛け部に着脱自在なサイドテーブルを備えたマッサージ機であって、該マッサージ機のサイドテーブルを、前記座部前端一側から座部幅方向に基部が挿入されて軸支され、その至部側上部には、肘掛け部と連繋し得る肘掛当接部材を配備させた支持部材と、該支持部材の至部側上端に取着された載置用テーブルとで構成した事を特徴とするものである。
【０００８】
前記肘掛当接部材は、肘掛け部上部で連繋し得る構造である事を特徴とするものである。
【０００９】
前記肘掛当接部材は、肘掛け部開口部で連繋し得る構造である事を特徴とするものである。
【００１０】
前記座部に、支持部材を挿入し得る筒状部材を横設した事を特徴とするものである。
【００１１】
前記支持部材は、前記座部前端一側から座部幅方向に挿入される基部と肘掛け部と連繋し得る肘掛当接部材を配備させた至部とが分割されており、これら両者間で長さ調整可能或いは回転可能に嵌合されるよう構成した事を特徴とするものである。
【００１２】
本発明のサイドテーブルを備えたマッサージ機は、上記のように構成することにより次のような作用をもたらす。
すなわち、請求項１の本発明のサイドテーブルを備えたマッサージ機は、座部前端一側から座部幅方向に支持部材の基部が挿入されて軸支され、その支持部材の至部側上部を肘掛け部と連繋させて載置用テーブルを安定保持させるようにしたものである為、肘掛部材の形状やマッサージ機の形状に左右されることなく、あらゆるマッサージ機に適宜にサイドテーブルが取着でき、強度及び汎用性に優れたサイドテーブルを備えたマッサージ機が提供できる。
【００１３】
また、請求項２の本発明では、前記支持部材に設けられた肘掛当接部材は、肘掛け部上部で連繋し得る構造である為、支持部材の基部と肘掛当接部材との二箇所でサイドテーブルを保持する事ができ、安定性に優れている。
【００１４】
更に請求項３の本発明は、前記支持部材に設けられた肘掛当接部材は、肘掛け部開口部で連繋し得る構造である為、これにおいても、肘掛け部の形状に左右されずに支持部材の基部と肘掛当接部材との二箇所でサイドテーブルを保持する事ができ、安定性に優れている。
【００１５】
更にまた、請求項４の本発明では、座部に、支持部材を挿入し得る筒状部材を横設したものである為、マッサージ機の左右いずれの側にも取り付けられる事ができ、マッサージ機の設置位置に関係なく使用者の好みによりサイドテーブルを取付ける事ができ、その使用範囲を広げることができる。
【００１６】
更に請求項５の本発明は、前記支持部材は、前記座部前端一側から座部幅方向に挿入される基部と肘掛け部と連繋し得る肘掛当接部材を配備させた至部とが分割されており、これら両者間で長さ調整可能或いは回転可能に嵌合されるよう構成されている為、支持部材の長さを長く調整した場合にはサイドテーブルを肘掛け部に接近させずに離間させて設置したり前後に移動させたりする事もでき、しかも、支持部材を回転させて、載置用テーブルが邪魔にならないように垂下状に傾伏させておく事もできる。
【００１７】
【発明の実施の形態】
以下に、本発明のサイドテーブルを備えたマッサージ機を、図面に示す一実施形態に基づきこれを詳細に説明する。
図１は本発明のサイドテーブルを備えたマッサージ機の一実施形態を示す斜視図であり、図２は本発明のサイドテーブルを備えたマッサージ機の一実施形態を示す使用状態図であり、図３は本発明のサイドテーブルを備えたマッサージ機の一実施形態を示す説明図であり、図４乃至図１３は本発明のサイドテーブルを備えたマッサージ機におけるサイドテーブルの各実施形態を示す説明図であり、図１４は本発明のサイドテーブルを備えたマッサージ機のサイドテーブルを取り外した状態の説明図である。また、図１５と図１６は従来技術の一例を示す説明図である。
【００１８】
すなわち、本発明のサイドテーブルを備えたマッサージ機１ａは、背凭れ部１１ａと座部１２ａと肘掛け部１４ａとを備え、少なくとも一方の肘掛け部１４ａに着脱自在なサイドテーブルを２ａ備えたマッサージ機１ａであって、該マッサージ機１ａのサイドテーブル２ａを、前記座部１２ａ前端一側から座部１２ａ幅方向に基部２２２ａが挿入されて軸支され、その至部２２３ａ側上部には、肘掛け部１４ａと連繋し得る肘掛当接部材２３ａを配備させた支持部材２２ａと、該支持部材２２ａの至部２２３ａ側上端に取着された載置用テーブル２１ａとで構成して成り、肘掛け部１４ａの形状やマッサージ機１ａの形状に左右されることなく、あらゆるマッサージ機１ａの左右肘掛け部１４ａ近郊にサイドテーブル２ａを適宜に取着して構成したものである。
【００１９】
前記背もたれ部１１ａは、座部１２ａの後部に起倒自在として取り付けたものとしており、背もたれ部１１ａの内部には、上下動自在として位置変更できるマッサージ機構（図示せず）を備えたものとしている。
【００２０】
尚、このマッサージ機構は、揉み、叩き、振動、ローリング、空圧施療などのマッサージ施療を行う施療部材（図示せず）を設けたものとしている。
【００２１】
前記座部１２ａの内部にも、揉み、叩き、振動、ローリング、空圧施療などのマッサージ機構（図示せず）を備えたものでよく、座部１２ａの左右には肘掛け部１４ａを設けたものとしている。
【００２２】
足載せ部１３ａは、必要に応じて、内部にマッサージ機構（図示せず）を備えたものとしている。このマッサージ機構は、振動、ローリングなどのマッサージ施療を行う施療部材（図示せず）を設けたものとすることができる。
【００２３】
更に、前記肘掛け部１４ａの外側上方付近に位置するようサイドテーブル２ａを配置しているが、図２に図示するようにこのサイドテーブル２ａは使用者がマッサージ機にて施療しながらも必要に応じて例えば読み物や飲用カップや小物等の使用物をその上に載置するためのものである。
【００２４】
図４に示すように、サイドテーブル２ａは板状の載置用テーブル２１ａと、これを支持する支持部材２２ａとから成り、該支持部材２２ａの基部２２２ａ中央付近には、突設状に付設したパイプや棒などからなる突起体２２１ａが設けられており、該支持部材２２ａの至部２２３ａ上端には、前記載置用テーブル２１ａとをビス等で取着して保持されている。
【００２５】
サイドテーブル２ａをマッサージ機１ａに装着するにあたっては、前記座部１２ａの下部に設けられている座部フレーム１２１ａ等の前方先端に、予め筒状部材１２２ａを横設しておき、該筒状部材１２２ａに前記支持部材２２ａの基部２２２ａを挿入して固定保持するのであるが、例えば、図６の実施形態では、支持部材２２ａの中央付近に突設させた突起体２２１ａを、前記座部１２ａの筒状部材１２２ａの少なくとも一端部（両端部に設けても良い）に設けられたＬ型状切欠部１２２ｂに沿ってその奥までスライドさせ、前記肘掛け部１４ａ側方向に支持部材２２ａを回転させることにより両者間が係止され固定するようにしたものを例示している。尚、サイドテーブル２ａをマッサージ機１ａから取り外す場合には、上記の逆の手順で作業すればよい。
【００２６】
次に、図８と図９に示すようにサイドテーブル２ａは、前記筒状部材１２２ａ内部にこの基部２２２ａ側が挿入される支持部材２２ａと、該支持部材２２ａ至部２２３ａ側上部に前記肘掛け部１４ａと連繋し得るよう配備させた肘掛当接部材２３ａとて構成したものを示している。
【００２７】
このようなサイドテーブル２ａは、肘掛け部１４ａに開口部１４１ａが設けられているマッサージ機１ａの場合に用いられるものであり、図９に示したようにまず肘掛当接部材２３ａが前記肘掛け部１４ａの開口部１４１ａに挿入されるようで支持部材２２ａを筒状部材１２２ａ内部に挿入し、次いで該サイドテーブル２ａを前記肘掛け部１４ａ側へ傾ける仕方で、肘掛当接部材２３ａが前記開口部１４１ａの側縁部に係止するように取り付ける事でサイドテーブル２ａはマッサージ機１ａに安定保持されマッサージ機本体１に対する取り付けが完了するのである。
【００２８】
図１０は、支持部材２２ａの肘掛当接部材２３ａが肘掛け部１４ａ上部で当接支持する構成のサイドテーブル２ａを示したものであり、このサイドテーブル２ａでは、載置用テーブル２１ａは平面視対称になるように形成され、肘掛当接部材２３ａは左右に二箇所設けられているものを例示した。
【００２９】
このような構成のサイドテーブル２ａを採用する事により、図１１に示したように、サイドテーブル２ａをマッサージ機１の左右の何れの方向にでも美観を損なう事無く取着する事ができ、更に、左右両側に均等な形でサイドテーブル２ａを設けることもできる。
【００３０】
図１２に示したサイドテーブル２ａは、前記支持部材２２ａが、座部１２ａ前端一側から座部１２ａ幅方向に挿入される基部２２２ａと肘掛け部１４ａと連繋し得る肘掛当接部材２３ａを配備させた至部２２３ａとが分割されており、これら両者間で長さ調整可能或いは回転可能に嵌合されるよう構成したものを例示しており、図面では、基部２２２ａを細い棒材で製作し、至部２２３ａをこの基部２２２ａ側を嵌入し得る太い筒材で構成した場合（至部２２３ａを細い棒材で製作し、基部２２２ａをこの至部２２３ａ側を嵌入し得る太い筒材で構成しても同様である）を示しており、支持部材２２ａの至部２２３ａは、基部２２２ａに摺動移動可能で且つ摺動回転可能に案内支持されている。
【００３１】
また、図１２のものでは、肘掛当接部材２３ａが、至部２２３ａ側上部に設けられた貫通穴に嵌入させたものを示しており、このような構成にする事により、肘掛当接部材２３ａを左右に摺動移動させる事ができ、マッサージ機１ａの肘掛け部１４ａ幅に適応させることができる。
【００３２】
また、図１２で示したようなサイドテーブル２ａを採用した場合には、図１３に示したように、支持部材２２ａの至部２２３ａ側をスライドさせて、長さを調整する事ができ、サイドテーブル２ａを肘掛け部１４ａと並設設置或いは離間設置させる事ができ、更に前後に移動させたりする事もでき、しかも、図示していないが支持部材２２ａを下方へ回転させて、載置用テーブル２１ａが邪魔にならないように垂下状に傾伏させておく事ができるようになる。
【００３３】
尚、このサイドテーブル２ａを保管或いは搬送する場合には、この支持部材２２ａの基部２２２ａ側を外すことができ、これにより可及的にコンパクトに収容させる事ができる。
【００３４】
図１４は、本発明におけるサイドテーブル２ａを取り外した状態を示したものであり、座部１２ａの筒状部材１２２ａから、サイドテーブル２ａを取り外した場合に、筒状部材１２２ａの両端開口部に保護キャップなどを嵌着させておく事で、両端開口部による美観の喪失を防止でき、しかもその開口部での使用者のけが防止する事ができる。
【００３５】
尚、サイドテーブル２ａの支持部材２２ａ及び載置用テーブル２１ａには、適宜にゴム製や軟質樹脂等の保護膜や保護部材を塗着したり加工したりする事で、マッサージ機１ａの肘掛け部１４ａや座部１２ａとの接触による損傷を防止する事ができる。
【００３６】
【発明の効果】
よって、本発明のサイドテーブルを備えたマッサージ機は、椅子型形状のマッサージ機の座部前端一側から座部幅方向にサイドテーブルの支持部材の基部が挿入されて軸支され、その支持部材の至部側上部を肘掛け部と連繋させて載置用テーブルを安定保持させるようにしたものである為、従来のサイドテーブルを備えたマッサージ機とは異なり、肘掛け部の形状やマッサージ機の形状に左右されることなく、どのような形状のマッサージ機にでも適応させることができ、強度的にも及び汎用性に優れたサイドテーブルを備えたマッサージ機を提供する事ができるものである。
【図面の簡単な説明】
【図１】本発明のサイドテーブルを備えたマッサージ機の一実施形態を示す斜視図である。
【図２】本発明のサイドテーブルを備えたマッサージ機の一実施形態を示す使用状態図である。
【図３】本発明のサイドテーブルを備えたマッサージ機の一実施形態を示す説明図である。
【図４】本発明のサイドテーブルを備えたマッサージ機におけるサイドテーブルの各実施形態を示す説明図である。
【図５】本発明のサイドテーブルを備えたマッサージ機におけるサイドテーブルの各実施形態を示す説明図である。
【図６】本発明のサイドテーブルを備えたマッサージ機におけるサイドテーブルの各実施形態を示す説明図である。
【図７】本発明のサイドテーブルを備えたマッサージ機におけるサイドテーブルの各実施形態を示す説明図である。
【図８】本発明のサイドテーブルを備えたマッサージ機におけるサイドテーブルの各実施形態を示す説明図である。
【図９】本発明のサイドテーブルを備えたマッサージ機におけるサイドテーブルの各実施形態を示す説明図である。
【図１０】本発明のサイドテーブルを備えたマッサージ機におけるサイドテーブルの各実施形態を示す説明図である。
【図１１】本発明のサイドテーブルを備えたマッサージ機におけるサイドテーブルの各実施形態を示す説明図である。
【図１２】本発明のサイドテーブルを備えたマッサージ機におけるサイドテーブルの各実施形態を示す説明図である。
【図１３】本発明のサイドテーブルを備えたマッサージ機におけるサイドテーブルの各実施形態を示す説明図である。
【図１４】本発明のサイドテーブルを備えたマッサージ機のサイドテーブルを取り外した状態を示す説明図である。
【図１５】従来技術の一例を示す説明図である。
【図１６】従来技術の一例を示す説明図である。
【符号の説明】
１ａ    マッサージ機
１１ａ    背凭れ部
１２ａ    座部
１２２ａ    筒状部材
１３ａ    足載せ部
１４ａ    肘掛け部
１４１ａ    開口部
２ａ    サイドテーブル
２１ａ    載置用テーブル
２２ａ    支持部材
２２２ａ    基部
２２３ａ    至部
２３ａ    肘掛当接部材
【図１】
2005040151.tif 000003
【図２】
2005040151.tif 000004
【図３】
2005040151.tif 000005
【図４】
2005040151.tif 000006
【図５】
2005040151.tif 000007
【図６】
2005040151.tif 000008
【図７】
2005040151.tif 000009
【図８】
2005040151.tif 000010
【図９】
2005040151.tif 000011
【図１０】
2005040151.tif 000012
【図１１】
2005040151.tif 000013
【図１２】
2005040151.tif 000014
【図１３】
2005040151.tif 000015
【図１４】
2005040151.tif 000016
【図１５】
2005040151.tif 000017
【図１６】
2005040151.tif 000018